(57)【要約】【課題】  端子の電線接続筒部の全周面均等圧縮を可能とした端子圧着工具と、局部的な偏加圧をなくした全周面均等加圧で先端部に端子を圧着させた電線の提供。【解決手段】  端子筒１１を圧着する中心点ｃに向かって出退移動する端子圧着刃体２１が当該中心点ｃの三方向乃至六方向に配置され、これらの各圧着刃体２１が、端子押圧面２２に端子筒１１の軸線方向長さよりも短寸の押圧突子２３を備え、各圧着刃体２１及び同刃体２１を中心点ｃに向かって押圧移動させる刃体押圧体３が、各刃体２１毎に独立して配置され、かつ、各刃体２１を中心点ｃに向けて同時に移動させる構成とした工具と、圧着された端子筒１１が、電線ｋに対して全周面から均等圧縮されており、局部的な変形部分や未圧縮部分がなく、長時間の振動に対しても電線ｋと端子筒１１との間で容易にズレを生じたり発熱する危険性がなく、長期間安全に使用できる圧着端子付きの電線を実現する。【選択図】図１
2015016539.tif 000002
【特許請求の範囲】
【請求項１】
電線端を挿入する端子筒(11)とその先端側に他機器への接続部(12)を備えた端子(1)の前記端子筒(11)を圧着する工具であって、
端子筒(11)を圧着する中心点(c)に向かって出退移動する端子圧着刃体(21)が、当該中心点(c)の三方向乃至六方向に配置され、
これらの各圧着刃体(21)が、端子押圧面(22)に端子筒(11)の軸線方向長さよりも短寸の押圧突子(23)を備え、
これらの各圧着刃体(21)及び同刃体(21)を中心点(c)に向かって押圧移動させる刃体押圧体(3)が、各刃体(21)毎に独立して配置され、
かつ、これらの各刃体(21)を中心点(c)に向けて同時に移動させる構造としてある端子圧着工具。
【請求項２】
電線端を挿入する端子筒(11)とその先端側に他機器への接続部(12)を備えた端子(1)の前記端子筒(11)を圧着する工具であって、
該工具が、端子圧着刃体(21)の厚さ方向の一部または全部を埋め込んで個々にスライドさせるガイド溝(441)を、放射方向に略均等角隔てて三箇所以上に形成してある刃体ガイド板(44)と、
該刃体ガイド板(44)の上下何れかの面または両面に配置され、前記端子圧着刃体(21)から厚さ方向に突出された突出軸(31)に接当して端子圧着刃体(21)を中心点(c)に向けて移動させる円弧状孔(431)を、前記ガイド溝(441)の配置箇所と対応させて三箇所以上に形成してある刃体移動作用板(43)とを備え、
これらの刃体ガイド板(44)と刃体移動作用板(43)とを前記中心点(c)を中心として相対回転可能に形成してある請求項１に記載の端子圧着工具。
【請求項３】
電線端を挿入する端子筒(11)とその先端側に他機器への接続部(12)を備えた端子(1)の前記端子筒(11)を圧着する工具であって、
該工具における刃体ガイド板(44)と刃体移動作用板(43)とが枢軸(8)によって厚さ方向に連結された左右一対の操作ハンドル(9，9)の間隔縮小操作によって相対回転する構造としてある請求項１または２に記載端子圧着工具。
【請求項４】
電線端を挿入する端子筒(11)とその先端側に他機器への接続部(12)を備えた端子(1)が、
端子筒(11)の軸線方向長さよりも短寸の押圧突子(23)を端子押圧面(22)に備えた圧着刃体(21)によって、被覆の存在しない電線(k)が端子筒(11)に挿入された状態で、当該端子筒(11)が周方向の三方向乃至六方向から同時に加圧され、
前記圧着刃体(21)による圧縮部(110)の断面形状が星形状に圧縮変形された状態で、
先端に端子が圧着された電線。
【発明の詳細な説明】
【技術分野】
【０００１】
この発明は、導電線または被覆を剥離した導電線の先端に端子を圧着する工具と、先端に端子を圧着させてある電線に関する。
【背景技術】
【０００２】
絶縁被覆が施されていない電線の先端部や、被覆電線の場合には先端の所要長さ部分の被覆を剥離した電線の先端部に、電気接続用の端子や、電線端に端子を圧着させる工具は多種多様のものが製造され使用されている。これら周知の端子圧着工具は、次の特許文献１，２にみられる通りである。
【先行技術文献】
【特許文献】
【０００３】
【特許文献１】実開平３−１５０７７号公開明細書
【特許文献２】実開平５−９７０８４号公開明細書
【特許文献３】特開２００５−３４００５９号公報
【発明の概要】
【発明が解決しようとする課題】
【０００４】
これらの特許文献１，２に記載の電線端子圧着工具は、特許文献１にあっては殊に第一図に、特許文献２にあっては殊に図１，２にみられるように、端子筒部の受側が凹入し、押圧側が凸状に形成されていて、これらの間に端子筒部が挟み込まれて圧縮変形される構造となっている。
【０００５】
したがって、これらの特許文献１，２に記載の電線端子圧着工具によって圧着された端子の筒部は、本願の図１１，１２に示すように、被覆電線Ｋの被覆Ｃを剥離した電線ｋを挿入する端子１の筒部１１の先端側に他機器への接続部１２を有し、端子筒１１の背面側は略半円状に変形し、正面側は、特許文献３の図６，１０，１１に示されているように、略長方形に凹入変形する形状に変形させて、内部の電線を強固に保持するように構成されている。
【０００６】
しかしながら、この圧縮変形された端子筒の内部を図で拡大して示すと、本願の図１３，１４として示した図の内、殊に図１４の端子筒１１の横断面図にみられるように、端子筒１１内の電線ｋは、圧縮変形した部分１１１とその背面側の圧力受け面１１２との間の内部が最大限に密集し、同図の両端側部分１１３，１１３は、未圧縮状態のままか、低圧縮状態となっている。このように圧着後の端子筒１１内の電線ｋは、中央部が密になり両側部が疎となって、圧縮力が弱く、断面全体の均等圧縮が困難で、通電上好ましくないという解決すべき課題を有するものであった。
【０００７】
そこで、本発明は、このような課題を解消するために開発されたものであって、端子筒部の圧縮を、電線の長手方向においても、また求心方向においても、ほぼ均一化されていて局部的な変形が殆どない状態で、端子筒部の均等圧縮を可能とした端子圧着工具と、この工具を使用して電線に局部的な偏加圧をかけることなく、筒部全体を均等加圧させた状態で電線の先端部に端子を圧着させてある電線を提供するものである。
【課題を解決するための手段】
【０００８】
該目的を達成するために講じた本発明にいう端子圧着工具の構成を、実施例の説明において使用する符号を用いて説明すると、電線端を挿入する端子筒１１とその先端側に他機器への接続部１２を備えた端子１の前記端子筒１１を圧着する工具であって、端子筒１１を圧着する中心点ｃに向かって出退移動する端子圧着刃体２１が、当該中心点ｃの三方向乃至六方向に配置され、これらの各圧着刃体２１が、端子押圧面２２に端子筒１１の軸線方向長さよりも短寸の押圧突子２３を備え、これらの各圧着刃体２１及び同刃体２１を中心点ｃに向かって押圧移動させる刃体押圧体３が、各刃体２１毎に独立して配置され、かつ、これらの各刃体２１を中心点ｃに向けて同時に移動させる構成としたものである。
【０００９】
この構成をより具体化した請求項２に記載の構成は、電線端を挿入する端子筒１１とその先端側に他機器への接続部１２を備えた端子１の前記端子筒１１を圧着する工具であって、該工具が、端子圧着刃体２１の厚さ方向の一部または全部を埋め込んで個々にスライドさせるガイド溝４４１を、放射方向に略均等角隔てて三箇所以上に形成してある刃体ガイド板４４と、該刃体ガイド板４４の上下何れかの面または両面に配置され、前記端子圧着刃体２１から厚さ方向に突出された突出軸３１に接当して端子圧着刃体２１を中心点ｃに向けて移動させる円弧状孔４３１を、前記ガイド溝４４１の配置箇所と対応させて三箇所以上に形成してある刃体移動作用板４３とを備え、これらの刃体ガイド板４４と刃体移動作用板４３とを前記中心点ｃを中心として相対回転可能に形成してある構成としたものである。
【００１０】
また、請求項３に記載の構成は、請求項１または２に従属する構成であって、電線端を挿入する端子筒１１とその先端側に他機器への接続部１２を備えた端子１の前記端子筒１１を圧着する工具であって、該工具における刃体ガイド板４４と刃体移動作用板４３とが枢軸８によって厚さ方向に連結された左右一対の操作ハンドル９，９の間隔縮小操作によって相対回転する構成としたものである。
【００１１】
また、本発明の請求項４に記載の、先端に端子が圧着された電線の構成についても、同様に実施例の説明において使用する符号を用いて説明すると、電線端を挿入する端子筒１１とその先端側に他機器への接続部１２を備えた端子１が、端子筒１１の軸線方向長さよりも短寸の押圧突子２３を端子押圧面２２に備えた圧着刃体２１によって、被覆の存在しない電線ｋが端子筒１１に挿入された状態で、当該端子筒１１が周方向の三方向乃至六方向から同時に加圧され、前記圧着刃体２１による圧縮部１１０の断面形状が星形状に圧縮変形された状態で電線端に圧着されている構成としたものである。
【発明の効果】
【００１２】
而して、本発明にいう請求項１に記載の端子圧着工具は、既に記載した説明から明らかなように、端子筒部の圧縮を電線の長手方向と求心方向との両方向において均等に圧縮することで、局部的な強弱がなく、端子筒の全周面への均等圧縮を自動的に行うことができるという顕著な効果を期待することができる。また、圧着後の端子筒の内周面には、圧着刃体の押圧突子によって形成された複数のリブ状突条が存在するので、電線に周方向の外力が不測に生じた場合でも、筒部との相対回転が阻止されて正常な圧着状態を維持することができるという利点をも有する。
【００１３】
また、本発明にいう請求項４に記載の先端部分に端子が圧着された電線の効果は、圧着された端子筒部が、電線に対して全周面から均等圧縮されているので、局部的な変形部分や未圧縮部分がないことにより、長時間の振動に対しても電線と筒部との間に容易にズレを生じたり、発熱を生じ易いという危険性がなく、長期に亘って安全に使用することができるという効果を有する。
【図面の簡単な説明】
【００１４】
【図１】本発明の圧着工具における加圧部の分解斜視図。
【図２】加圧部の一部破断組立図。
【図３】本発明の圧着工具の全体平面図。
【図４】図３の要部拡大平面図。
【図５】本発明の圧着工具の一部縦断側面図。
【図６】図５の要部拡大側面図。
【図７】本発明に係る加圧後の端子を示す正面図。
【図８】図７の端子の左側面図。
【図９】図７の端子部分の中央縦断側面図。
【図１０】図９のＡ−Ａ線に沿った横断面図。
【図１１】従来工具による加圧後の端子を示す正面図。
【図１２】図１１の端子の左側面図。
【図１３】図１１の端子部分の中央縦断側面図。
【図１４】図１３のＢ−Ｂ線に沿った横断面図。
【発明を実施するための形態】
【００１５】
以上のような構成とした端子圧着工具を実施するに当たっては、以下の実施例１において示す端子圧着工具のように、端子筒１１を圧着する端子圧着刃体２１は、中心点ｃを中心として四方向に配置した４体の圧着刃体２１によって加圧する構成（図４参照）のもののみならず、中心点を中心として三方向に配置した３体の圧着刃体によって端子筒部を加圧する構成のものや、五方向または六方向に配置した５体または６体の圧着刃体によって端子筒部を加圧圧着するものとして実施することができる。
【００１６】
この端子圧着刃体を、対向する一対２体のみによって行うようにした場合には、前記した従来の電線端子圧着工具の場合と同様に、例えば図１４に示したように、圧着後の端子筒１１の両端側部分１１３，１１３に電線ｋの疎らな部分を生じ、圧着部全体を粗密なく均等圧着することが困難となり易い。また、刃体の数を７体以上の多数体とすると、刃体の先端部どうしが密着し過ぎて、端子筒部の全周面に対する均等加圧が行い難くなる。したがって、刃体の数は３体から６体とすることが好ましい。
【実施例１】
【００１７】
以下本発明の第１実施例について図面に基づいて説明する。該第１実施例に示す端子圧着工具は、電線接続端子の構造を、図７，８に例示したように、被覆電線Ｋの被覆Ｃを剥離した電線ｋを挿入する端子筒１１の先端側に、他機器への接続部１２を、端子筒１１よりも小さい丸棒形として一体的に形成してある端子１を対象として示したものであって、その圧着工具についての実施例を説明する。
【００１８】
該実施例に係る工具を、図１に圧着ヘッド部２０の構成部材を分解斜視図として示し、図２においてその組み立て状態を一部破断して示す。圧着ヘッド部２０は、図１の上方から下方に向けて、中央孔４１１を備えた天板４１と、端子挿入孔４２１を備えた上部中間金具４２と、該上部中間金具４２と嵌合する中央孔４３３を備え、その周縁部４３２に、傾斜状とした円弧状孔４３１を周方向４箇所に形成してある上下一対の刃体移動作用板４３，４３と、中央部を残して＋字形に移動する刃体ガイド溝４４１とを備えた盤状体であって、前記上下一対の作用板４３，４３の中間に配置される刃体ガイド板４４と、中央部に端子挿入孔４５１を備え、下方に突出ボス４５２を備えた下部中間金具４５と、該ボス４５２の中央孔にネジ４５３で固定される筒体であって、中央に端子接続部１２の受入孔４６１を形成してある端子接続部ガイド４６と、前記ボス４５２への嵌合孔４７１を中央部に備えた底板４７とから構成されている。
【００１９】
さらに、前記刃体ガイド板４４の＋字形に形成された刃体ガイド溝４４１のそれぞれに嵌め込まれ、同溝４４１内をセンター方向（中心点ｃ方向）に向かって移動する４つの圧着刃体２１は、その先端の端子押圧面２２に押圧する端子筒１１（図７参照）の軸線方向長さよりも短寸に形成してある押圧突子２３を備え、後端側には軸孔２４を形成してある。この軸孔２４に、刃体押圧体３を構成する丸棒形の突出軸３１を挿通し、軸孔２４から上下方向（刃体２１の厚さ方向）に突出させた突出軸３１の端部にリング３２，３２をそれぞれ嵌合させ、該リング３２が前記刃体移動作用板４３の円弧状孔４３１と嵌合し、円弧状孔４３１内を転動する構造としてある。ここにいう刃体押圧体３は、図１，６に示すように、２つのリング３２，３２と突出軸３１の３部材で構成させてある。このリング３２は、摩擦抵抗軽減のために必要な部材ではあるが、リングを使用することなく、刃体２１から突出する突出軸３１の両端部を、円弧状孔４３１と直接接触させる構造として実施することもできる。
【００２０】
このリング３２の円弧状孔４３１内の回転移動によって、各圧着刃体２１が刃体ガイド板４４の＋字形に形成された各刃体ガイド溝４４１に案内されながら、ガイド溝４４１内をセンター方向（中心点ｃ方向）に向かって強制的に移動する構造としてある。
【００２１】
この各圧着刃体２１のセンター方向への強制移動によって、圧着される端子１の筒部１１が各刃体２１の端子押圧面２２によって四方から強制押圧され、同時に各刃体２１の端子押圧面２２に形成された押圧突子２３によって、端子１の筒部１１を中心部に向けてさらに押し込む作用を果たす構造としてある。
【００２２】
他方、前記図１，２に示したように、刃体移動作用板４３と刃体ガイド板４４との下端部には、図３，５に示した左右一対の操作ハンドル９，９の上端部を、ハンドル固定ピン７，７によって固定するためのピン孔７１，７１を穿設したハンドル連結レバー４３Ｌ，４４Ｌを一体形成してある。また、これら左右一対の操作ハンドル９，９どうしは、同図３，５のように、枢軸８によって互いに連結されていて、操作ハンドル９，９どうしを手で握り締めて、拡大姿勢状態（図示省略）から図３の接近状態に変化させて操作する。すなわち、本発明の端子圧着工具は、操作ハンドル９，９どうしの間隔を拡大状態から縮小状態にすることにより、端子の圧着操作を行うようにしたものであって、この操作は一般的な従来工具と同じである。
【００２３】
以上のような構造とした端子圧着工具によって圧縮された端子１の圧縮部は、図９に拡大して示したように、電線ｋは、その長手方向において局部的に変形することなくほぼ直線状のままで端子筒１１と共に全周面から圧縮され、その横断面は、図１０に示すように、円周方向の四方から同時に＋字形に均等圧縮されており、部分的な未圧縮部分や隙間が存在せず、全体が略均等な圧縮状態となっている。この圧縮作用によって圧着後の端子筒１１の外周面には圧着刃体２１の押圧突子２３によって形成された線状凹部（圧縮部）１１０が形成され、同時にその対応内周面には、複数のリブ状突条１１４が形成されることとなる。この圧縮部１１０とリブ状突条１１４とによって端子筒１１が軸線方向に強化され、かつ、電線の使用時に、電線ｋに対して周方向の外力が不測に生じた場合でも、端子筒１１との相対回転が阻止されて正常な圧着状態を維持することができる。
【００２４】
このようにして圧着された端子を先端部に有する電線にあっても、端子の筒部が電線に対して全周面から均等に圧縮されているので、局部的な変形部分や圧縮が不十分となる部分が生じなくなる。これにより、本発明の電線が長時間振動を受け続ける箇所に使用された場合でも、電線と端子筒部との間に容易にズレを生じることがなく、また発熱する危険性もない状態で、長期に亘って安全に使用することができる。
【実施例２】
【００２５】
本発明の端子圧着工具は、前記第１実施例に示した手動操作式のものに代えて、電動式の動力源を利用した端子圧着機としてもよい。この変更構造は簡単であるため図示は省略するが、前記第１実施例の図１，２に示した刃体移動作用板４３と刃体ガイド板４４とのハンドル固定ピン７，７を挿入するピン孔７１，７１を利用して、動力機械における相対間隔移動部位を連結ピンによって連結する構造とすればよい。このようにして、端子の電線接続筒部を加圧する圧着操作や、自動連続圧着機を利用して圧着操作を行うようにしてもよい。
【００２６】
このような動力利用の端子圧着機械にあっても、端子圧着ヘッド部２０の構造を本発明の請求項１に記載の構成要件を備えている範囲においては、本願発明にいうところの端子圧着工具に含まれるものである。
【００２７】
前記第１実施例に示した電線接続端子は、端子筒１１の先端側に他機器への接続部１２として、端子筒１１よりも小さい丸棒形に形成してある端子を対象として説明したが、端子の構造はこの実施例に示した形状のもののみならず、丸板形や羽子板形、その他一般に周知の各種形状の端子に実施できるものである。
【００２８】
以上本発明の代表的と思われる実施例について説明したが、本発明は必ずしも前記実施例に示した構造のもののみに限定されるものではなく、本発明にいう前記の構成要件を充足し、上記の目的を達成し、上記の効果を有する範囲内において適宜に改変して実施することができるものである。
【産業上の利用可能性】
【００２９】
本発明にいう端子圧着工具は、端子筒部に対して電線を全周面から無理なく均等に加圧した構造として圧着することができるので、新しく有用な圧着手段として大いに使用される可能性を秘めたものである。
【符号の説明】
【００３０】
１  端子
１１  端子筒
１１０  圧縮部
１２  他機器への接続部
２０  圧着ヘッド部
２１  圧着刃体
２２  端子押圧面
２３  押圧突子
３  刃体押圧体
３１  突出軸
４３  刃体移動作用板
４３１  円弧状孔
４４  刃体ガイド板
４４１  ガイド溝
８  枢軸
９  操作ハンドル
ｃ  中心点
ｋ  電線
【図１】
2015016539.tif 000003
【図２】
2015016539.tif 000004
【図３】
2015016539.tif 000005
【図４】
2015016539.tif 000006
【図５】
2015016539.tif 000007
【図６】
2015016539.tif 000008
【図７】
2015016539.tif 000009
【図８】
2015016539.tif 000010
【図９】
2015016539.tif 000011
【図１０】
2015016539.tif 000012
【図１１】
2015016539.tif 000013
【図１２】
2015016539.tif 000014
【図１３】
2015016539.tif 000015
【図１４】
2015016539.tif 000016